(57)【要約】  本発明は、使用者の顔面に着用され、美容液供給口及び呼吸口が貫通して設けられたマスク本体（１００）と、美容液供給口と連結されるようにマスク本体に装着され、美容液供給口を通じてマスク本体と顔面の間の空間に美容液を噴射させるミスト噴射機（２００）と、呼吸口と連結されるようにマスク本体に装着された状態で使用者の鼻部分を包むように配置され、使用者の呼吸を可能にする呼吸連結部（３００）と、を含む美容マスクを提供する。このような美容マスクは、呼吸連結部によって呼吸が可能な状態でマスク本体を使用者の顔面に着用すれば、ミスト噴射機を通じて噴射される美容液がマスク本体の美容液供給口を通じて使用者の顔面の肌にすぐ接触されるため、使用者の顔面の肌への美容液の吸収効率が増大する。【選択図】図３
2017505649.tif 000002
【特許請求の範囲】
【請求項１】
使用者の顔面に着用され、美容液供給口及び呼吸口が貫通して設けられたマスク本体と、
前記美容液供給口と連結されるように上記マスク本体に装着され、前記美容液供給口を通じて前記マスク本体と前記顔面の間の空間に美容液を噴射させるミスト噴射機と、
前記呼吸口と連結されるように前記マスク本体に装着された状態で前記使用者の鼻部分を包むように配置され、前記使用者の呼吸を可能にする呼吸連結部と、
を備える美容マスク。
【請求項２】
前記使用者の顔面と接触される前記マスク本体の縁部には、柔軟性を有する封止部が結合して設けられている請求項１に記載の美容マスク。
【請求項３】
前記マスク本体の縁部には、前記使用者の頭や耳に掛けられる係止バンドがさらに結合して設けられている請求項１または請求項２に記載の美容マスク。
【請求項４】
前記マスク本体には、前記ミスト噴射機の一側を着脱自在に挿着されるようにする装着ブラケットが結合して設けられている請求項１に記載の美容マスク。
【請求項５】
前記装着ブラケットは、一側を開放させたリング状断面を有する請求項４に記載の美容マスク。
【請求項６】
前記呼吸連結部は、
前記マスク本体の呼吸口に前後方向に摺動可能に挿設される管構造の連結台と、
前記マスク本体の後方に突出された前記連結台の一端に連通結合され、前記使用者の鼻部分を覆うように凹断面形状を有する蓋本体と、を含む請求項１に記載の美容マスク。
【請求項７】
前記使用者の顔面と接触される前記蓋本体の縁部には、柔軟性を有する接触部が結合して設けられている請求項６に記載の美容マスク。
【請求項８】
前記マスク本体の前方に突出された前記連結台の他端の外側には、離脱防止突起が突設され、前記マスク本体の内側に配置された前記連結台の一端の外側には、弾性バネが挿入して設けられている請求項６に記載の美容マスク。
【請求項９】
前記連結台は波付管構造を有する請求項６または請求項８に記載の美容マスク。
【請求項１０】
前記連結台の外側には、前記弾性バネを包むように保護蓋がさらに挿設されている請求項８に記載の美容マスク。
【請求項１１】
前記保護蓋は波付管構造を有する請求項１０に記載の美容マスク。
【発明の詳細な説明】
【技術分野】
【０００１】
本発明は、美容マスクに関するもので、さらに詳しくは美容目的の美容液のような液体を顔に供給する美容マスクに関する。
【背景技術】
【０００２】
一般的に顔の肌に美容液のような液体を供給するとき用いられる美容用具は、化粧用シート体であるフェイスマスクが用いられる。
【０００３】
このような上記フェイスマスクは、一枚のシート体で構成され、目に対応する部分、鼻に対応する部分、口に対応する部分に切り取り部や孔部が設けられ、化粧水などの液体を含浸させ、顔面にのせる。
【０００４】
しかしながら、従来のフェイスマスクは、一枚のシート体で構成され３次元に曲げられた形状を有する顔面全体に配置するとき、部分的にしわやたるみが発生し顔面全体に均一に密着されず、美容液が顔全体に均一に供給できない問題があった。
【０００５】
また、フェイスマスクのシート体自体に美容液が吸収されることによって顔の肌への美容液の吸収効率が落ちる問題があった。
【０００６】
このような従来のフェイスマスクは、日本公開特許公報第２００２−１７２０２２号に開示されている。
【先行技術文献】
【特許文献】
【０００７】
【特許文献１】特開２００２−１７２０２２号公報
【発明の概要】
【発明が解決しようとする課題】
【０００８】
そこで、本願発明は、美容液を顔全体に均一に供給させると共に、顔の肌への美容液の吸収効率を増大させることのできる美容マスクを提供することを目的とする。
【課題を解決するための手段】
【０００９】
本発明は、使用者の顔面に着用され、美容液供給口及び呼吸口が貫通して設けられたマスク本体と、上記美容液供給口と連結されるように上記マスク本体に装着され、上記美容液供給口を通じて上記マスク本体と上記顔面の間の空間に美容液を噴射させるミスト噴射機と、上記呼吸口と連結されるように上記マスク本体に装着された状態で上記使用者の鼻部分を包むように配置され、上記使用者の呼吸を可能にする呼吸連結部と、を含む美容マスクを提供する。
【００１０】
また、上記使用者の顔面と接触される上記マスク本体の縁部には、軟性を有する封止部が結合して設けられても良い。
【００１１】
また、上記マスク本体の縁部には、さらに上記使用者の頭や耳に掛けられる係止バンドが結合して設けられても良い。
【００１２】
また、上記マスク本体には、上記ミスト噴射機の一側を着脱自在に挿着される装着ブラケットが結合して設けられても良い。
【００１３】
また、上記装着ブラケットは一側を開放させたリング状断面を有しても良い。
【００１４】
また、上記呼吸連結部は、上記マスク本体の呼吸口に前後方向に摺動可能に挿設される管構造の連結台と、上記マスク本体の後方に突出された上記連結台の一端に連通結合され、上記使用者の鼻部分を覆うように凹断面形状を有する蓋本体とを含んでも良い。
【００１５】
また、上記使用者の顔面と接触される上記蓋本体の縁部には軟性を有する接触部が結合して設けられても良い。
【００１６】
また、上記マスク本体の前方に突出された上記連結台の他端の外側には離脱防止突起が突設され、上記マスク本体の内側に配置された上記連結台の一端の外側には弾性バネが挿設されても良い。
【００１７】
また、上記連結台は、波付管構造（ベローズ構造）を有しても良い。
【００１８】
また、上記連結台の外側には、上記弾性バネを包むように保護蓋がさらに挿設されても良い。
【００１９】
また、上記保護蓋は、波付管構造（ベローズ構造）を有しても良い。
【発明の効果】
【００２０】
本発明に係る美容マスクは、呼吸連結部によって呼吸が可能な状態でマスク本体を使用者の顔面に着用すれば、ミスト噴射機を通じて噴射される美容液がマスク本体の美容液供給口を通じて使用者の顔面の肌にすぐ接触されるため、使用者の顔面の肌への美容液の吸収効率が増大する。
【図面の簡単な説明】
【００２１】
【図１】図１は、本発明の一実施例に係る美容マスクの斜視図である。
【図２】図２は、図１の分解斜視図である。
【図３】図３は、図１のIII−III線による断面図である。
【図４】図４は、図３の部分拡大図である。
【発明を実施するための形態】
【００２２】
以下、図面を参照しつつ本発明の好ましい実施形態を詳細に説明する。
【００２３】
図１は、本発明の一実施例に係る美容マスクの斜視図であり、図２は、図１の分解斜視図であり、図３は、図１のIII−III線での断面図であり、図４は、図３の部分拡大図である。図１ないし図４を参照すると、上記美容マスクは、マスク本体１００と、ミスト噴射機２００と、呼吸連結部３００とを備えている。
【００２４】
上記マスク本体１００は、使用者の顔面（図示しない）に着用される部分である。このような上記マスク本体１００は、上記使用者の顔面に対向される面が上記顔面に隣接して配置されるように上記使用者の顔面に対向される面が凹構造を有するように形成されている。このとき、上記マスク本体１００の上記顔面に対向される面と上記使用者の顔面は、互いに離隔するように配置されることで、後述するミスト噴射機２００から噴射される美容液が上記使用者の顔面と接触できるようになる。このように、上記マスク本体１００は縁部が上記顔面に密着されるように着用され、後述するミスト噴射機２００から噴射された美容液が上記顔面に隣接して分布するようにしつつ、上記顔面の肌に效率よく吸収されるようにする。このような上記マスク本体１００は、全体を透明な材質で形成するか、または上記使用者の目部分に対向される位置のみを透明に形成することができる。また、上記マスク本体１００は軟性（柔軟性）を有するゴムや合成樹脂材質で形成してもよいが、これに限られるものではなく、硬質のプラスチックや合成樹脂材質で形成してもよいことは言うまでもない。このとき、上記マスク本体１００の上記使用者の顔面の中の額部分に対応される部分は、前方に突出されるように形成され、上記マスク本体１００の背面が上記使用者の顔面に安定した着用状態になるようにすることもできる。
【００２５】
ここで、上記マスク本体１００の縁端部、すなわち上記使用者の顔面と接触される端部には軟性（柔軟性）を有する封止部１３０が結合して設けられる。このような上記封止部１３０は、上記マスク本体１００を上記使用者の顔面に着用した状態で、上記マスク本体１００と上記使用者の顔面が密封状態で触れ合うようにし、その後、上記マスク本体１００と上記使用者の顔面の間に噴射される美容液が上記マスク本体１００の外部に漏れてしまうことを防止する。このとき、上記封止部１３０は、上記マスク本体１００の外側及び内側にそれぞれ延びるように形成され、上記マスク本体１００を着用する上記使用者の顔の大きさにかかわらず安定した密封状態で着用することができる。ここで、上記封止部１３０は軟性（柔軟性）を有するゴムや合成樹脂材質により形成しても良い。
【００２６】
このような上記マスク本体１００の一側には、後述するミスト噴射機２００から噴射される美容液が上記マスク本体１００と上記使用者の顔面の間に噴射されることができるように、上記ミスト噴射機２００と連結される美容液供給口１１０が貫通して設けられている。このような美容液供給口１１０は、ミスト噴射機２００の排出口（図示しない）と連結される。
【００２７】
また、上記マスク本体１００の一側、より好ましくは、上記使用者の鼻前方に位置する上記マスク本体１００の部分には、呼吸口１２０が貫通して設けられる。このような上記呼吸口１２０には、後述する呼吸連結部３００の一端を挿入状態で連設する。そのため、上記呼吸口１２０は上記マスク本体１００を上記使用者の顔面に装着した状態で後述するミスト噴射機２００によって美容液が噴射されても上記使用者が呼吸連結部３００を通じて上記美容液を吸入せず、鼻を通じて外部の空気を呼吸することができるようになる。
【００２８】
また、上記マスク本体１００の縁部には上記使用者の顔面に安定した着用状態を維持させる係止バンド１４０が結合して設けられる。このような上記係止バンド１４０は、上記使用者の頭を包んだ状態で掛けられるか、上記使用者の耳を包んだ状態で掛けられるように設けられている。
【００２９】
また、上記マスク本体１００の一側、より好ましくは、上記美容液供給口１１０に隣接する上記マスク本体１００の前面には、後述するミスト噴射機２００の一側を着脱自在に設置できるように装着ブラケット１５０が結合して設けられても良い。このような上記装着ブラケット１５０は、ミスト噴射機２００の一側を内側に挿入配置できるようにリング断面形状を有するように形成され、より好ましくは、一側を開放させたリング断面形状を有するように形成するため、変更（変形）が柔軟に行われ、ミスト噴射機２００の一側を強引にはめ込むように挿入結合するときも容易に挿設することができるようになる。
【００３０】
上記ミスト噴射機２００は、上記美容液を蓄えた状態で、上記マスク本体１００の美容液供給口１１０に上記美容液が噴射されるようにする。このような上記ミスト噴射機２００は、上記マスク本体１００の一側、より好ましくは、上記装着ブラケット１５０に挿着された状態で上記美容液が噴射される排出口（図示しない）が上記美容液供給口１１０と連結される。そのため、上記ミスト噴射機２００は上記美容液供給口１１０を通じて上記マスク本体１００の背面と上記顔面の間の空間に美容液を噴射することになる。ここで、上記ミスト噴射機２００は上記美容液を超音波で気化させたミスト状態で自動噴射する公知の構造を有することが好ましいが、これに限られるものではなく、機械式構造を有する公知のスプレー噴射構造を有することもできることは言うまでもない。
【００３１】
上記呼吸連結部３００は、上記マスク本体１００を上記使用者の顔面に着用させた状態で、上記ミスト噴射機２００を通じて上記マスク本体１００の背面と上記使用者の顔面の間の空間に上記美容液が噴射されても上記使用者が上記呼吸口１２０を通じて呼吸を可能にする部分である。このような上記呼吸連結部３００は、上記マスク本体１００の呼吸口１２０に連結されるように上記マスク本体１００に装着された状態で上記使用者の鼻部分を包むように配置される。すなわち、上記呼吸連結部３００の一端は上記マスク本体１００の呼吸口１２０に挿入状態で連結され、他端は上記使用者の鼻部分を包むように配置される。ここで、上記呼吸連結部３００は連結台３１０と、蓋本体３２０とを含む。
【００３２】
上記連結台３１０は上記マスク本体１００の呼吸口１２０に前後方向に摺動可能に挿設される。ここで、上記連結台３１０は長手方向の両端を開放させた管構造を有する。このような上記連結台３１０の一端は、上記マスク本体１００の背面後方に突出されるように配置された状態で蓋本体３２０と連結結合され、他端は上記マスク本体１００の前面前方に突出されるように配置される。このとき、上記連結台３１０の他端の外側、すなわち上記マスク本体１００の前面前方に突出された端部の外側には離脱防止突起３１１が突設される。このような上記離脱防止突起３１１は、上記連結台３１０を上記マスク本体１００の呼吸口１２０に挿設した状態で上記マスク本体１００の背面後方に離脱されないように掛ける役割をする。ここで、上記離脱防止突起３１１は上記連結台３１０の他端の外側に形成された溝部に挿設されるようにリング形状を有するが、これに限られるものではなく、上記連結台３１０の他端の外側に一体状態に突出するように形成されることもできることは言うまでもない。
【００３３】
ここで、上記連結台３１０は、上記マスク本体１００の呼吸口１２０に挿設された状態で上下及び左右方向への変形が可能になるように軟性（柔軟性）を有する材質に形成されることが好ましいが、これに限られるものではなく、波付管構造（ベローズ構造）を有するように形成され、材質自体の組職変形による損傷を最小化しながら、上下及び左右方向への変形が容易に行われるようにすることもできる。
【００３４】
上記蓋本体３２０は、上記使用者の鼻部分、より好ましくは、上記使用者の鼻の穴部分を覆った状態で上記連結台３１０と連結され、上記使用者が上記マスク本体１００を着用した状態で、鼻を通じて呼吸を可能にする。すなわち上記蓋本体３２０は、上記使用者の鼻を覆うことができるように凹断面形状を有する状態で、一側が上記マスク本体１００の背面後方に突出された上記連結台３１０の一端に連通結合されている。
【００３５】
ここで、上記蓋本体３２０の縁部、すなわち上記使用者の顔面と接触される端部には軟性（柔軟性）を有する接触部３２１が結合して設けられても良い。このような上記接触部３２１は、上記蓋本体３２０の縁部を上記使用者の顔面と密封状態で触れ合うようにし、その後、上記マスク本体１００と上記使用者の顔面の間に噴射される美容液が上記使用者の鼻を通じて吸入されることを防止する。ここで、上記接触部３２１は軟性（柔軟性）を有するゴムや合成樹脂材質により形成しても良い。
【００３６】
このような呼吸連結部３００には、上記マスク本体１００を上記使用者が着用した状態で上記蓋本体３２０を上記使用者の顔面に安定して密着されるようにする弾性バネ３３０をさらに設けても良い。すなわち、上記弾性バネ３３０は、上記蓋本体３２０を使用者の顔面方向に加圧するように弾性支持することになる。このような上記弾性バネ３３０は、上記呼吸連結部３００の連結台３１０の外側に挿設（外挿）される。このとき、上記弾性バネ３３０の長手方向の一端は上記マスク本体１００の背面に連結配置され、長手方向の他端は上記蓋本体３２０に連結されるように配置される。
【００３７】
このように、上記弾性バネ３３０が上記呼吸連結部３００の連結台３１０の外側に挿設される場合には、上記ミスト噴射機２００から噴射される美容液が上記弾性バネ３３０と接触することを防止し、かつ上記弾性バネ３３０の腐食を防止する保護蓋３４０を設けても良い。すなわち、上記保護蓋３４０は上記弾性バネ３３０を包むように管構造を有する状態で上記呼吸連結部３００の連結台３１０の外側に挿設（外挿）される。このとき、上記保護蓋３４０の長手方向の一端の縁部は上記呼吸連結部３００の連結台３１０の外側に密着配置され、長手方向の他端の縁部は上記呼吸連結部３００の蓋本体３２０の外側に密着配置される。
【００３８】
ここで、上記保護蓋３４０は上記呼吸連結部３００の連結台３１０の外側に挿入配置された状態で、上下及び左右方向、また前後方向への変形が可能になるように軟性（柔軟性）を有する材質で形成されることが好ましいが、これに限られるものではなく、波付管構造（ベローズ構造）を有するように形成され、材質自体の組職変形による損傷を最小化しながら、上下、左右、及び前後方向への変形が容易に行われるようにすることもできる。
【００３９】
このように構成される一実施例の上記美容マスクを用いた顔面美容方法を説明する。まず、上記マスク本体１００を使用者の顔面に密着されるように着用する。このとき、上記マスク本体１００は上記使用者の手による加圧を通じて上記使用者の顔面に密着されるか、または、上記係止バンド１４０を上記使用者の耳や頭にかけて上記使用者の顔面に密着状態に着用されるようにする。
【００４０】
このとき、上記呼吸連結部３００の蓋本体３２０が上記使用者の鼻部分を包むように配置する。ここで上記蓋本体３２０は、上述したように上記使用者の手によって上記連結台３１０を上記使用者の顔面方向に押して、上記使用者の顔面に密着状態に配置されるようにするか、または、上記弾性バネ３３０の弾性力によって上記使用者の顔面に密着状態に配置されるようにする。
【００４１】
その後、上記ミスト噴射機２００が作動されると、上記マスク本体１００の美容液供給口１１０を通じて上記マスク本体１００の背面と上記使用者の顔面の間の空間に美容液が噴射供給され、このような上記美容液は、上記使用者の顔面の肌にすぐ接触されながら肌への吸収が行われる。
【００４２】
このように、一実施例の上記美容マスクは、上記呼吸連結部３００によって呼吸が可能な状態で上記マスク本体１００を上記使用者の顔面に着用すると、上記ミスト噴射機２００を通じて噴射される美容液が上記マスク本体１００の美容液供給口１１０を通じて上記使用者の顔面の肌にすぐ接触されるため、上記使用者の顔面の肌への上記美容液の吸収効率が増大される。
【００４３】
本発明は、図面に示された実施例を参照して説明したが、これは例示的なものに過ぎず、本技術分野の通常の知識を有する者であれば、これらの様々な変更、及び均等な他の実施例が可能である点は理解される。したがって、本発明の真正な技術的保護範囲は添付した特許請求の範囲の技術的思想によって決められるものである。
【符号の説明】
【００４４】
１００  マスク本体
１１０  美容液供給口
１２０  呼吸口
１３０  封止部
１４０  係止バンド
１５０  装着ブラケット
２００  ミスト噴射機
３００  呼吸連結部
３１０  連結台
３１１  離脱防止突起
３２０  蓋本体
３２１  接触部
３３０  弾性バネ
３４０  保護蓋
【図１】
2017505649.tif 000003
【図２】
2017505649.tif 000004
【図３】
2017505649.tif 000005
【図４】
2017505649.tif 000006
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
使用者の顔面に着用され、美容液供給口及び呼吸口が貫通して設けられたマスク本体と、
前記美容液供給口と連結されるように上記マスク本体に装着され、前記美容液供給口を通じて前記マスク本体と前記顔面の間の空間に美容液を噴射させるミスト噴射機と、
前記呼吸口と連結されるように前記マスク本体に装着された状態で前記使用者の鼻部分を包むように配置され、前記使用者の呼吸を可能にする呼吸連結部と、
を備えており、
前記呼吸連結部は、
前記マスク本体の呼吸口に前後方向に摺動可能に挿設される管構造の連結台と、
前記マスク本体の後方に突出された前記連結台の一端に連通結合された蓋本体と、
を含んでなる、ことを特徴とする美容マスク。
【請求項２】
前記使用者の顔面と接触される前記マスク本体の縁部には、柔軟性を有する封止部が結合して設けられている請求項１に記載の美容マスク。
【請求項３】
前記マスク本体の縁部には、前記使用者の頭や耳に掛けられる係止バンドがさらに結合して設けられている請求項１または請求項２に記載の美容マスク。
【請求項４】
前記マスク本体には、前記ミスト噴射機の一側を着脱自在に挿着されるようにする装着ブラケットが結合して設けられている請求項１に記載の美容マスク。
【請求項５】
前記装着ブラケットは、一側を開放させたリング状断面を有する請求項４に記載の美容マスク。
【請求項６】
前記蓋本体は、使用者の鼻部分を覆うように凹断面形状を有している、請求項１に記載の美容マスク。
【請求項７】
前記使用者の顔面と接触される前記蓋本体の縁部には、柔軟性を有する接触部が結合して設けられている請求項１または請求項６に記載の美容マスク。
【請求項８】
前記マスク本体の前方に突出された前記連結台の他端の外側には、離脱防止突起が突設され、前記マスク本体の内側に配置された前記連結台の一端の外側には、弾性バネが挿入して設けられている請求項１に記載の美容マスク。
【請求項９】
前記連結台は波付管構造を有する請求項１または請求項８に記載の美容マスク。
【請求項１０】
前記連結台の外側には、前記弾性バネを包むように保護蓋がさらに挿設されている請求項８に記載の美容マスク。
【請求項１１】
前記保護蓋は波付管構造を有する請求項１０に記載の美容マスク。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
使用者の顔面に着用され、美容液供給口及び呼吸口が貫通して設けられたマスク本体と、
前記美容液供給口と連結されるように上記マスク本体に装着され、前記美容液供給口を通じて前記マスク本体と前記顔面の間の空間に美容液を噴射させるミスト噴射機と、
前記呼吸口と連結されるように前記マスク本体に装着された状態で前記使用者の鼻部分を包むように配置され、前記使用者の呼吸を可能にする呼吸連結部と、
を備えており、
前記呼吸連結部は、
前記マスク本体の呼吸口に前後方向に摺動可能に挿設される管構造の連結台と、
前記マスク本体の後方に突出された前記連結台の一端に連通結合された蓋本体と、
を含んでおり、
前記マスク本体の前方に突出された前記連結台の他端の外側には、離脱防止突起が突設され、前記マスク本体の内側に配置された前記連結台の一端の外側には、弾性バネが挿入して設けられている、ことを特徴とする美容マスク。
【請求項２】
前記使用者の顔面と接触される前記マスク本体の縁部には、柔軟性を有する封止部が結合して設けられている請求項１に記載の美容マスク。
【請求項３】
前記マスク本体の縁部には、前記使用者の頭や耳に掛けられる係止バンドがさらに結合して設けられている請求項１または請求項２に記載の美容マスク。
【請求項４】
前記マスク本体には、前記ミスト噴射機の一側を着脱自在に挿着されるようにする装着ブラケットが結合して設けられている請求項１に記載の美容マスク。
【請求項５】
前記装着ブラケットは、一側を開放させたリング状断面を有する請求項４に記載の美容マスク。
【請求項６】
前記蓋本体は、使用者の鼻部分を覆うように凹断面形状を有している、請求項１に記載の美容マスク。
【請求項７】
前記使用者の顔面と接触される前記蓋本体の縁部には、柔軟性を有する接触部が結合して設けられている請求項１または請求項６に記載の美容マスク。
【請求項８】
前記連結台は波付管構造を有する請求項１に記載の美容マスク。
【請求項９】
前記連結台の外側には、前記弾性バネを包むように保護蓋がさらに挿設されている請求項１に記載の美容マスク。
【請求項１０】
前記保護蓋は波付管構造を有する請求項９に記載の美容マスク。
【手続補正２】
【補正対象書類名】明細書
【補正対象項目名】０００９
【補正方法】変更
【補正の内容】
【０００９】
本発明は、使用者の顔面に着用され、美容液供給口及び呼吸口が貫通して設けられたマスク本体と、上記美容液供給口と連結されるように上記マスク本体に装着され、上記美容液供給口を通じて上記マスク本体と上記顔面の間の空間に美容液を噴射させるミスト噴射機と、上記呼吸口と連結されるように上記マスク本体に装着された状態で上記使用者の鼻部分を包むように配置され、上記使用者の呼吸を可能にする呼吸連結部と、を備えており、
前記呼吸連結部は、前記マスク本体の呼吸口に前後方向に摺動可能に挿設される管構造の連結台と、前記マスク本体の後方に突出された前記連結台の一端に連通結合された蓋本体と、を含んでおり、
前記マスク本体の前方に突出された前記連結台の他端の外側には、離脱防止突起が突設され、前記マスク本体の内側に配置された前記連結台の一端の外側には、弾性バネが挿入して設けられている、美容マスクを提供する。
【手続補正３】
【補正対象書類名】明細書
【補正対象項目名】００１４
【補正方法】変更
【補正の内容】
【００１４】
また、前記蓋本体は、上記使用者の鼻部分を覆うように凹断面形状を有しても良い。
【手続補正４】
【補正対象書類名】明細書
【補正対象項目名】００１６
【補正方法】削除
【補正の内容】
【国際調査報告】
2017505649.tif 000007
2017505649.tif 000008
2017505649.tif 000009
2017505649.tif 000010